(57)【特許請求の範囲】
【請求項１】
マイナスイオンを発生して放出するマイナスイオン発生器を、筐体を支持するベース台に組み込むとともに、マイナスイオン吹き出し口をベース台に形成したことを特徴とするパーソナルコンピュータ用ディスプレイ装置。
【請求項２】
スピーカを備えたパーソナルコンピュータ用ディスプレイ装置であって、
マイナスイオンを発生して放出するマイナスイオン発生器を、筐体又は筐体を支持するベース台に組み込み、
スピーカを覆うスピーカグリルをマイナスイオン発生器のマイナスイオン吹き出し口として用いたことを特徴とするパーソナルコンピュータ用ディスプレイ装置。
【請求項３】
前記マイナスイオン発生器の電源スイッチと連動する発光具を設けたことを特徴とする請求項１又は請求項２に記載のパーソナルコンピュータ用ディスプレイ装置。
【請求項４】
前記マイナスイオン発生器への電源供給は、ディスプレイ装置用の電源装置とは別個独立に設けられた電源装置により行われることを特徴とする請求項１〜請求項３に記載のパーソナルコンピュータ用ディスプレイ装置。
【請求項５】
前記ディスプレイ装置は、液晶ディスプレイ装置に構成されることを特徴とする請求項１〜請求項４のいずれかに記載のパーソナルコンピュータ用ディスプレイ装置。
【発明の詳細な説明】
【０００１】
【発明の属する技術分野】
本発明は、マイナスイオン発生器を内蔵したパーソナルコンピュータ用のディスプレイ装置に関する。
【０００２】
【従来の技術】
近年、情報技術の進歩により、コンピュータ装置本体、ディスプレイ装置、及びキーボード等の入力装置を備えたパーソナルコンピュータの普及が進み、これらの機器の使用頻度が増加していきている。パーソナルコンピュータの使用環境下においては、プラスイオン濃度が高くなって、肉体疲労やストレスが溜まり易くなる傾向にある。
【０００３】
一方、最近は健康や生活環境に対する意識が強くなり、マイナスイオンについて関心が高まってきている。マイナスイオンは空気中に放出されると、タバコの煙や花粉の除去、消臭、静電気除去等の空気清浄作用を奏し、クリーンな空気を作り出すことができる。また、マイナスイオンは、精神や身体をリラックスさせたり、免疫力を高め新陳代謝を活発にして基礎代謝を向上させたり、身体の疲労や精神的ストレスを緩和したりする働きがあると言われている。
【０００４】
そして、マイナスイオンを発生して室内の空気中に放出し、プラスイオンの空気中濃度を低くしてマイナスイオン濃度が高い環境を作り出す、マイナスイオン発生器が種種考案されている。
従って、このような、マイナスイオンを放出するマイナスイオン発生器をパーソナルコンピュータの近傍に設置することで、パーソナルコンピュータの使用環境をマイナスイオン濃度が高い環境として、身体に良い環境を作り出すことが可能となっている。
【０００５】
【発明が解決しようとする課題】
前述の如くのマイナスイオン発生器を、プラスイオン濃度が高くなりがちなパーソナルコンピュータの近傍に設置することで、身体に良い環境を作り出すことができるが、マイナスイオン発生器はコンピュータ装置本体、ディスプレイ装置等といったパーソナルコンピュータを構成する機器とは別個に構成されるものであり、設置スペースが余分に必要となるため、狭い机上等ではマイナスイオン発生器の設置スペースが確保できなかったり、効果的な位置に設置できなかったりすることがあった。
また、パーソナルコンピュータが設置される環境では、コンピュータ装置本体やディスプレイ装置等、電源を必要とする機器が多く設置されるので、マイナスイオン発生器用の商用電源のコンセントを確保することが困難な場合もあった。
【０００６】
【課題を解決するための手段】
本発明の解決しようとする課題は以上の如くであり、次に該課題を解決するための手段を説明する。即ち、請求項１に記載の如く、マイナスイオンを発生して放出するマイナスイオン発生器を、筐体を支持するベース台に組み込むとともに、マイナスイオン吹き出し口をベース台に形成した。
【０００７】
また、請求項２に記載の如く、スピーカを備えたパーソナルコンピュータ用ディスプレイ装置であって、
マイナスイオンを発生して放出するマイナスイオン発生器を、筐体又は筐体を支持するベース台に組み込み、
スピーカを覆うスピーカグリルをマイナスイオン発生器のマイナスイオン吹き出し口として用いた。
【０００８】
また、請求項３に記載の如く、前記マイナスイオン発生器の電源スイッチと連動する発光具を設けた。
【０００９】
また、請求項４に記載の如く、前記マイナスイオン発生器への電源供給は、ディスプレイ装置用の電源装置とは別個独立に設けられた電源装置により行われる。
【００１０】
また、請求項５に記載の如く、前記ディスプレイ装置は、液晶ディスプレイ装置に構成される。
【００１１】
【発明の実施の形態】
次に、本発明の実施の形態を説明する。
図１はマイナスイオン発生器を筐体内部に組み込んだパーソナルコンピュータ用ディスプレイ装置を示す正面図、図２はマイナスイオン発生器の概略構成を示すブロック図、図３はディスプレイ装置における吹き出し口の別参考例を示す背面図、図４はスピーカを覆うスピーカグリルをマイナスイオン発生器のマイナスイオン吹き出し口として用いた例を示す正面図、図５はマイナスイオン発生器をベース台に組み込んだディスプレイ装置を示す正面図、図６はマイナスイオン発生器をディスプレイ装置のベース台に組み込んだ場合におけるマイナスイオン発生器の概略構成を示すブロック図、図７はディスプレイ用の電源スイッチ及びマイナスイオン用の電源スイッチをまとめて一つの電源スイッチに構成したディスプレイ装置を示す正面図、図８はマイナスイオン発生器に電源を供給する電源装置に、マイナスイオンを効率良く放出するためのファンを接続した構成を示すブロック図である。
【００１２】
まず、参考例として、マイナスイオン発生器を筐体内部に組み込んだパーソナルコンピュータ用ディスプレイ装置の構成について説明する。図１に示すように、パーソナルコンピュータ（以下パソコンという）１は、コンピュータ装置本体１１、ディスプレイ装置１０、及びキーボード１２を備えている。ディスプレイ装置１０は、筐体１０ａにＬＣＤ（Liquid Crystal Display）パネル１０ｂを装着した液晶ディスプレイ装置に構成されている。
尚、ディスプレイ装置１０は、ＣＲＴ（Cathode Ray Tube）型のディスプレイ装置や、ＰＤＰ型（Plasma Display Panel）型のディスプレイ装置に構成することも可能である。
【００１３】
ディスプレイ装置１０の筐体１０ａには、該ディスプレイ装置１０のオン・オフを切り換えるディスプレイ用電源スイッチ１６ａ、及びディスプレイ用電源ランプ１６ｂが配設されている。ディスプレイ用電源ランプ１６ｂは、ＬＥＤ（Light Emitting Diode）等の発光具で構成され、ディスプレイ用電源スイッチ１６ａがオン状態になると連動して点灯し、その旨を示すものである。
【００１４】
また、筐体１０ａ内部にはマイナスイオン発生器１５が収納されており、例えばＬＣＤパネル１０ｂの下方に配置されている。
筐体１０ａにおけるディスプレイ用電源スイッチ１６ａ及びディスプレイ用電源ランプ１６ｂの配置位置の近傍には、マイナスイオン発生器１５のオン・オフを切り換えるマイナスイオン用電源スイッチ１７ａ、及びマイナスイオン用電源ランプ１７ｂが配設されている。マイナスイオン用電源ランプ１７ｂは、ＬＥＤ（Light Emitting Diode）等の発光具で構成され、マイナスイオン用電源スイッチ１７ａがオン状態になると連動して点灯し、その旨を示すものである。
【００１５】
筐体１０ａの表面（パソコン１のユーザーと対峙する側の面）におけるＬＣＤパネル１０ｂの上方にはマイナスイオン吹き出し口１８が形成されており、マイナスイオン用電源スイッチ１７ａがオンされると、マイナスイオン発生器１５が作動を開始して、該マイナスイオン吹き出し口１８からマイナスイオンが放出されるように構成されている。
【００１６】
即ち、図２に示すように、マイナスイオン用電源スイッチ１７ａがオンされてマイナスイオン発生器１５が作動を開始すると、ディスプレイ装置１０の電源装置２８から供給される直流電源が、ノイズフィルタ５４を通じて、マイナスイオン発生モジュール５１における電圧増幅回路５１ｂにより所定の電圧まで昇圧される。昇圧された直流高圧は放電制御回路５１ａを通じてイオン化針５２へ印加され、これにより、イオン化針５２からマイナスイオンが生成される。
【００１７】
イオン化針５２から生成したマイナスイオンは空中へ放出され、マイナスイオン発生器１５が配置される筐体１０ａの下部から筐体１０ａ内部を通って上部へ流れ、該筐体１０ａの上部に形成されるマイナスイオン吹き出し口１８から、筐体１０ａ外部へ放出されることとなる。
【００１８】
ディスプレイ装置１０の電源装置２８からマイナスイオン発生器１５へ供給される電源は、例えば＋５Ｖの直流であり、マイナスイオン発生モジュール５１の電圧増幅回路５１ｂにて、−４０００〜−１００００Ｖ程度の間の直流高圧に変換される。
本例のマイナスイオン発生器１５は、例えば電子放射式に構成されており、変換された直流高圧は、マイナスイオンを生成するイオン化針へ印加される。尚、イオン化針５２へ印加する電圧は、イオン化針５２の特性により異なるため、変換する電圧に−４０００〜−１００００Ｖ程度といった幅を持たせてある。
【００１９】
また、ノイズフィルタ５４は、マイナスイオン発生モジュール５１から発生するノイズがパソコン１側へ回り込むことを防止するための部材である。
尚、本例ではマイナスイオン発生器１５を電子放射式に構成しているが、コロナ放電式のマイナスイオン発生器に構成することも可能である。
このように、ディスプレイ装置１０に組みこまれるマイナスイオン発生器１５は、電子放射式又はコロナ放電式に構成されるので、レナード式に構成されるマイナスイオン発生器のように水を使用することがなく、該ディスプレイ装置１０の破損や漏電を招くおそれがない。
また、ユーザーの好みに合わせて、電子放射式又はコロナ放電式の何れかの方式のマイナスイオン発生器を適宜選択することが可能となり、該マイナスイオン発生器の汎用性を向上することができる。
【００２０】
このように、ディスプレイ装置１０にマイナスイオン発生器１５を組み込み、該ディスプレイ装置１０に形成される吹き出し口１８からマイナスイオンが放出されるように構成することで、プラスイオン濃度が高くなりがちなパソコン１周囲の環境を、マイナスイオン濃度が高い状態にすることができ、身体に良い環境を作り出すことが可能となる。
【００２１】
この場合、マイナスイオン発生器１５はディスプレイ装置１０に内蔵されているので、マイナスイオン発生器１５を設置するスペースや専用のコンセントを設ける必要がなく、パソコン１周りの混雑を解消して見栄えも良くすることができる。また、ディスプレイ装置１０に対峙するパソコン１のユーザーに対して効果的にマイナスイオンを吹き出すことができる。
【００２２】
そして、ディスプレイ装置１０には、ディスプレイ用電源スイッチ１６ａに加えて、マイナスイオン発生器１５をオン・オフするマイナスイオン用電源スイッチ１７ａが独立して設けられているので、ディスプレイ装置１０のオン・オフ状態にかかわらず、例えばディスプレイ装置１０がオフされているときでも、マイナスイオン発生器１５のみを単独で作動させることができる。
【００２３】
さらに、マイナスイオン用電源スイッチ１７ａのオン・オフ状態に連動して点灯するマイナスイオン用電源ランプ１７ｂが設けられているので、マイナスイオン発生器１５が作動しているか否かを一目で把握することができる。
尚、ディスプレイ装置１０についても同様に、ディスプレイ用電源ランプ１６ｂにより、そのオン・オフ状態を一見して把握することが可能である。
【００２４】
また、図３に示すように、マイナスイオンが吹き出すマイナスイオン吹き出し口１８は、ディスプレイ装置１０の筐体１０ａの裏面側に形成することもできる。このように、筐体１０ａに裏面側にマイナスイオン吹き出し口１８を形成することで、筐体１０ａの表面側のデザインの自由度を増すことができ、すっきりした外観とすることが可能となって、デザイン性を向上することができる。
尚、マイナスイオン吹き出し口１８は、筐体１０ａの何れの箇所に形成してもよく、筐体内部のマイナスイオン発生器１５から発生したマイナスイオンを外部へ放出することが可能である。
【００２５】
次に、本発明にかかるパーソナルコンピュータ用ディスプレイ装置について説明する。  すなわち、図５に示すように、ＬＣＤパネル１０ｂが装着される筐体１０ａはベース台１９により支持されているが、このベース台１９内にマイナスイオン発生器１５を組み込むとともに、マイナスイオン吹き出し口１８、マイナスイオン用電源スイッチ１７ａ、及びマイナスイオン用電源ランプ１７ｂをベース台１９に設けることもできる。即ち、マイナスイオンの発生機構を、まとめてベース台１９に設けることもできる。
このように構成することで、マイナスイオンを発生する機能を、ＬＣＤパネル１０ｂが装着される筐体１０ａ部分と分離することができる。
従って、例えばＬＣＤパネル１０ｂに不具合が生じたときには筐体１０ａの部分のみを交換すればよく、マイナスイオン発生器１５に不具合が発生した場合にはベース台１９のみを交換すればよい、といったように、不具合時における部品交換等が容易に行えるようになる。
【００２６】
また、図６に示すように、マイナスイオンの発生機構をベース台１９に設けた場合は、マイナスイオン発生器１５用の電源を、商用電源からＡＣアダプタ３８を通じて供給するようにすることもできる。
即ち、マイナスイオン発生器１５がベース台１９に設けられた場合は、ＬＣＤパネル１０ｂ等の筐体１０ａ側へ電源供給する前記電源装置２８からの電力供給を、構造上受けにくくなることが考えられるが、そのような場合でもＡＣアダプタ３８を用いて、マイナスイオン発生器１５に対して別個独立に電源を供給することで、容易に電源供給することが可能となる。
【００２７】
また、図４に示すような、筐体１０ａにスピーカ２１が配設されたディスプレイ装置１０においては、以下のように構成することもできる。
ディスプレイ装置１０では、筐体１０ａにおけるＬＣＤパネル１０ｂの両側部分にスピーカ２１が配設されている。スピーカ２１は、その前方をスピーカグリル２１ａに覆われており、スピーカグリル２１ａは、網目状部材やパンチングメタル等の通気性を有する部材で構成されている。
【００２８】
本例では、マイナスイオン発生器１５は、筐体１０ａ内のスピーカグリル２１ａ部分（何れか一方のスピーカグリル２１ａ部分、又は両方のスピーカグリル２１ａ部分）に配置されており、該マイナスイオン発生器１５から発生したマイナスイオンは、スピーカグリル２１ａを通じて外部へ放出される。
即ち、スピーカグリル２１ａをマイナスイオン発生器１５のマイナスイオン吹き出し口として用いている。
【００２９】
このように、スピーカグリル２１ａをマイナスイオン吹き出し口として用いることで、マイナスイオン吹き出し口を筐体１０ａに別途形成する必要がなくなり、筐体１０ａの美観を損なうことがない。また、マイナスイオン発生器１５を内蔵した仕様のディスプレイ装置１０と、マイナスイオン発生器１５を内蔵しない仕様のディスプレイ装置１０とで、筐体１０ａを共通化することができ、ディスプレイ装置１０のコストダウンを図ることができる。
【００３０】
また、図７に示すように、前記ディスプレイ用電源スイッチ１６ａ及びマイナスイオン用電源スイッチ１７ａをまとめて一つの電源スイッチ３５ａに形成し、ディスプレイ装置１０自体の作動とマイナスイオン発生器１５の作動とが連動するように構成することもできる。
なお、図７に示すディスプレイ装置１０は、図１の参考例に示すディスプレイ装置１０と同様に筐体１０ａ内部にマイナスイオン発生器１５が収納されている。
即ち、電源スイッチ３５ａをオンすると、ディスプレイ装置１０とマイナスイオン発生器１５とが同時に起動し、電源スイッチ３５ａをオフすると、ディスプレイ装置１０とマイナスイオン発生器１５とが同時に作動停止する。
この場合、電源スイッチ３５ａのオン・オフ状態を示す電源ランプ３５ｂを、電源スイッチ３５ａの近傍に設けることもできる。
【００３１】
このように構成することで、ディスプレイ装置１０の前面に配置するスイッチ類を減少することができ、ディスプレイ装置１０をスッキリとしたデザインに構成することができる。
また、ディスプレイ装置１０が起動しているときにはマイナスイオン発生器１５が必ず作動し、ディスプレイ装置１０が消えているときはマイナスイオン発生器１５も必ず停止することになるので、マイナスイオン発生器１５の付け忘れや消し忘れ等を防止することができる。
【００３２】
前述の全ての実施例および参考例におけるディスプレイ装置１０では、マイナスイオン発生器１５から発生したマイナスイオンがイオン発生時に生じる気流によって、自然にマイナスイオン吹き出し口１８を通じて外部へ放出されるように構成しているが、以下のようにディスプレイ装置１０にファン３２を内蔵して効率的に放出するようにすることもできる。
即ち、図８に示すように、マイナスイオン発生器１５が電源供給を受けているディスプレイ装置１０用の電源装置２８に、ファン３２を接続して駆動するように構成し、該ファン３２によりマイナスイオン発生器１５から発生したマイナスイオンをマイナスイオン吹き出し口１８から筐体外部へ強制的に放出させるようにする。
【００３３】
このように、ファン３２を設けることで、マイナスイオンの筐体外部への放出を効率的に行うことができ、マイナスイオンの効果をより高めることができる。
また、ファン３２を駆動する電源と、マイナスイオン発生器１５を駆動する電源とを、共にディスプレイ装置１０用の電源装置２８としているため、マイナスイオン発生器１５の作動とファン３２の作動とを連動させて、マイナスイオン発生器１５の作動時のみにファン３２を駆動することができ、省エネ化を図ることができるとともに、マイナスイオンの効率的な放出を確実に行うことができる。
尚、ＡＣアダプタ３８を通じてマイナスイオン発生器１５用の電源を供給するようにした場合は、ファン３２の電源もＡＣアダプタ３８から供給するように構成すればよい。
【００３４】
【発明の効果】
本発明は以上の如く構成したので、次のような効果を奏するのである。即ち、請求項１記載の如く、マイナスイオンを発生して放出するマイナスイオン発生器を、筐体を支持するベース台に組み込むとともに、マイナスイオン吹き出し口をベース台に形成したので、  マイナスイオン発生器をベース台に組み込んでマイナスイオン吹き出し口をベース台に形成した場合は、マイナスイオンを発生する機能を筐体部分と分離することができる。従って、マイナスイオン発生器に不具合が発生した場合にはベース台のみを交換すればよい、といったように、不具合時における部品交換等が容易に行えるようになる。
【００３５】
さらに、請求項２の如く、スピーカを備えたパーソナルコンピュータ用ディスプレイ装置であって、マイナスイオンを発生して放出するマイナスイオン発生器を、筐体又は筐体を支持するベース台に組み込み、スピーカを覆うスピーカグリルをマイナスイオン発生器のマイナスイオン吹き出し口として用いたので、
マイナスイオン吹き出し口をディスプレイ装置の筐体に別途形成する必要がなくなり、筐体の美観を損なうことがない。
また、マイナスイオン発生器を内蔵した仕様のディスプレイ装置と、マイナスイオン発生器を内蔵しない仕様のディスプレイ装置とで、筐体を共通化することができ、ディスプレイ装置のコストダウンを図ることができる。
【００３６】
さらに、請求項３記載の如く、前記マイナスイオン発生器の電源スイッチと連動する発光具を設けたので、
マイナスイオン発生器が作動しているか否かを一目で把握することができる。
【００３７】
さらに、請求項４記載の如く、前記マイナスイオン発生器への電源供給は、ディスプレイ装置用の電源装置とは別個独立に設けられた電源装置により行われるので、
例えば、マイナスイオン発生器がディスプレイ装置のベース台に設けられた場合、ＬＣＤパネル等の筐体側へ電源供給するディスプレイ装置の電源装置からの電力供給を、構造上受けにくくなることが考えられるが、そのような場合でもＡＣアダプタ等の電源装置を別に設けて、マイナスイオン発生器に対して別個独立に電源を供給することで、容易に電源供給することが可能となる。
【００３８】
さらに、請求項５記載の如く、前記ディスプレイ装置は、液晶ディスプレイ装置に構成されるので、
プラスイオン濃度が高くなりがちなパソコン周囲の環境を、マイナスイオン濃度が高い状態にすることができ、身体に良い環境を作り出すことが可能となる。
【図面の簡単な説明】
【図１】マイナスイオン発生器を筐体内部に組み込んだパーソナルコンピュータ用ディスプレイ装置を示す正面図である。
【図２】マイナスイオン発生器の概略構成を示すブロック図である。
【図３】ディスプレイ装置における吹き出し口の別参考例を示す背面図である。
【図４】スピーカを覆うスピーカグリルをマイナスイオン発生器のマイナスイオン吹き出し口として用いた例を示す正面図である。
【図５】マイナスイオン発生器をベース台に組み込んだディスプレイ装置を示す正面図である。
【図６】マイナスイオン発生器をディスプレイ装置のベース台に組み込んだ場合におけるマイナスイオン発生器の概略構成を示すブロック図である。
【図７】ディスプレイ用の電源スイッチ及びマイナスイオン用の電源スイッチをまとめて一つの電源スイッチに構成したディスプレイ装置を示す正面図である。
【図８】マイナスイオン発生器に電源を供給する電源装置に、マイナスイオンを効率良く放出するためのファンを接続した構成を示すブロック図である。
【符号の説明】
１  パーソナルコンピュータ（パソコン）
１０  ディスプレイ装置
１０ａ  筐体
１５  マイナスイオン発生器
１７ａ  マイナスイオン用電源スイッチ
１７ｂ  マイナスイオン用電源ランプ
１８  マイナスイオン吹き出し口
２１  スピーカ
２１ａ  スピーカグリル
【図１】
0003569516.tif 000002
【図２】
0003569516.tif 000003
【図３】
0003569516.tif 000004
【図４】
0003569516.tif 000005
【図５】
0003569516.tif 000006
【図６】
0003569516.tif 000007
【図７】
0003569516.tif 000008
【図８】
0003569516.tif 000009